(57)【要約】【課題】  引出体の出し入れ動作が容易で前面板をすっきりした外観とすることもでき、キャビネット本体内で大きなデッドスペースが発生しない収納キャビネットを提供する。【解決手段】  キャビネット本体１より引き出される引出体２を上下に複数段配設し、上下で隣接する引出体２の前面板３間の後側に前方へ開口した断面略コ字型の横桟材４を設け、上下の前面板３間の間隔スペースＳ１から横桟材４のコ字内スペースＳ２に挿入された手先が、上側の前面板３ａの下縁と下側の前面板３ｂの上縁とに引っ掛けられるようになした収納キャビネットにおいて、上側の前面板３ａの下縁に対応する高さ位置において横桟材４を上下に分割形成し、この分割された下側分割片４ｂを下側の前面板３ｂの裏側に一体化した。【選択図】図１
2006296536.tif 000002
【特許請求の範囲】
【請求項１】
キャビネット本体より前方へ引き出される引出体を上下に複数段配設し、上下で隣接する引出体の前面板間の後側に前方へ開口した断面略コ字型の横桟材を設け、上下の前面板間の間隔スペースから同横桟材のコ字内スペースに手先が挿入されて、上側の前面板の下縁と下側の前面板の上縁とに同手先が引っ掛けられるようになした収納キャビネットであって、上側の前面板の下縁に対応する高さ位置において横桟材を上下に分割形成し、この横桟材の分割された下側分割片を下側の前面板の裏側に一体化してなる収納キャビネット。
【請求項２】
横桟材の分割された上側分割片をキャビネット本体内に架設固定して、同上側分割片に上側の前面板の下縁付近が着脱自在に当止されるようになしたことを特徴とする請求項１記載の収納キャビネット。
【請求項３】
横桟材の分割された下側分割片が断面略Ｌ字型であり、この断面略Ｌ字型の横辺部の前端を下側の前面板の裏側に枢着して、同下側分割片を前方へと回動傾倒自在となるように一体化したことを特徴とする請求項１又は２記載の収納キャビネット。
【発明の詳細な説明】
【技術分野】
【０００１】
本願発明は、キャビネット本体より前方へ引き出される引出体が上下に複数段配設された収納キャビネットに関するものである。
【背景技術】
【０００２】
従来から、図４に示す如く、キャビネット本体１より前方へ引き出される引出体２が上下に複数段配設された収納キャビネットは、一般に知られている。この場合、上下二段に引出体２ａ、２ｂが配設されており、上下で隣接する引出体２ａ、２ｂの前面板３ａ、３ｂ間の後側に前方へ開口した断面略コ字型の横桟材４が設けられ、上下の前面板３ａ、３ｂ間の間隔スペースＳ１から同横桟材４のコ字内スペースＳ２に挿入された手先が、上側の前面板３ａの下縁と下側の前面板３ｂの上縁とのいずれにも引っ掛けられるようになっている。
【０００３】
したがって、この収納キャビネットにおいては、横桟材４のコ字内スペースＳ２に手先を差し入れ、前面板３ａ、３ｂの縁部分に同手先を直接に引っ掛けて、引出体２ａ、２ｂを容易に出し入れ動作させることができるので、同前面板３ａ、３ｂには把手を突設する必要がなくなって、すっきりとした外観にすることができる。又、この場合、横桟材４がキャビネット本体１内に架設固定されており、同横桟材４には上側の前面板３ａの下縁付近、及び、下側の前面板３ｂの上縁付近が各々着脱自在に当止されるようになっている。
【０００４】
しかしながら、この収納キャビネットにあっては、間隔スペースＳ１及びコ字内スペースＳ２を確保する必要があって横桟材４の上下巾寸法は大きくなり、そのため、キャビネット本体１内で同横桟材４の後方に大きなデッドスペースαが発生してしまう。なお、図５の家具用引出し部の構造は、特開２０００−９３２４３号公報（特許文献１）に開示されたもので、この場合、キャビネット本体１より前方へ引き出される引出体２の前面板３の上縁部分に、前方へ開口した断面略コ字型の把手枠１１が設けられているが、上下で隣接する複数段の引出体２は存在せず、上下の前面板３間でそのいずれの縁部分にも手先が引っ掛けられるようになしたものではない。
【特許文献１】特開２０００−９３２４３号公報
【発明の開示】
【発明が解決しようとする課題】
【０００５】
本願発明は、上記背景技術に鑑みて発明されたもので、その課題は、上下いずれの引出体をも容易に出し入れ動作させることができて、前面板には把手を突設することなくすっきりした外観とすることもでき、キャビネット本体内で大きなデッドスペースが発生しない収納キャビネットを提供することである。
【課題を解決するための手段】
【０００６】
上記課題を解決するために、本願発明の収納キャビネットは、キャビネット本体より前方へ引き出される引出体を上下に複数段配設し、上下で隣接する引出体の前面板間の後側に前方へ開口した断面略コ字型の横桟材を設け、上下の前面板間の間隔スペースから同横桟材のコ字内スペースに手先が挿入されて、上側の前面板の下縁と下側の前面板の上縁とに同手先が引っ掛けられるようになした収納キャビネットであって、上側の前面板の下縁に対応する高さ位置において横桟材を上下に分割形成し、この横桟材の分割された下側分割片を下側の前面板の裏側に一体化してなる。
【発明の効果】
【０００７】
本願発明の収納キャビネットにおいては、横桟材の前方へ開口したコ字内スペースに手先を差し入れて上下の前面板の縁部分に引っ掛け、上下いずれの引出体をも容易に出し入れ動作させることができて、同前面板には把手を突設することなくすっきりした外観とすることができる。しかも、上側の前面板の下縁に対応する高さ位置にて横桟材が上下に分割形成され、この横桟材の分割された下側分割片は下側の前面板の裏側に一体化されるため、下側の前面板より上方へ突出することになる下側分割片が下側の引出体と共に出し入れされて、同下側分割片の後方はデッドスペースとならず、キャビネット本体内のスペースが有効に活用される。
【発明を実施するための最良の形態】
【０００８】
図１は、本願の請求項１〜３全てに対応した一実施形態である収納キャビネットを示している。この実施形態の収納キャビネットは、キャビネット本体１より前方へ引き出される引出体２を上下に複数段配設し、上下で隣接する引出体２の前面板３間の後側に前方へ開口した断面略コ字型の横桟材４を設け、上下の前面板３間の間隔スペースＳ１から同横桟材４のコ字内スペースＳ２に手先が挿入されて、上側の前面板３ａの下縁と下側の前面板３ｂの上縁とに同手先が引っ掛けられるようになしたものである。そして、この場合に、上側の前面板３ａの下縁に対応する高さ位置において横桟材４を上下に分割形成し、この横桟材４の分割された下側分割片４ｂを下側の前面板３ｂの裏側に一体化している。
【０００９】
又、この実施形態の収納キャビネットでは、横桟材４の分割された上側分割片４ａをキャビネット本体１内に架設固定しており、同上側分割片４ａに上側の前面板３ａの下縁付近が着脱自在に当止される。更に、この実施形態の収納キャビネットでは、横桟材４の分割された下側分割片４ｂが断面略Ｌ字型であり、この断面略Ｌ字型の横辺部４b1の前端を下側の前面板３ｂの裏側に枢着してあることで、同下側分割片４ｂは前方へと回動傾倒自在となるように一体化されている。
【００１０】
以下、この実施形態の収納キャビネットをより具体的詳細に説明する。この実施形態の収納キャビネットはキッチンキャビネットであり、その上部に流しシンクや厨房機器等（図示せず）が配設されるものであるが、収納キャビネットとしてはその他の洗面キャビネットやデスクキャビネット等であってもよい。キャビネット本体１は前方に開口した箱型で、天板部５、底板部６、側板部７、背板部８でなる。キャビネット本体１の前方開口では、上下二段の引出体２ａ、２ｂが出し入れされる。引出体２はいずれも、上方に開口した浅い薄型の引出箱本体９の前面部分に、この前面部分よりも大きい矩形状の前面板３が固着一体化されたものである。
【００１１】
そして、キャビネット本体１の両側板部７の内面には各々ガイドレール１０が配設されており、両側のガイドレール１０間に引出体２が前後方向スライド自在に取着支持されている。キャビネット本体１の上端部分は人の腰高さ位置付近にあり、上下の前面板３ａ、３ｂ間の間隔スペースＳ１から横桟材４のコ字内スペースＳ２に手先を挿入し、上側の前面板３ａの下縁と下側の前面板３ｂの上縁とに同手先を引っ掛け易いものである。キャビネット本体１の前方開口部分において、両側板部７間には横桟材４の分割された断面略Ｌ字型の上側分割片４ａが架設固定されており、この上側分割片４ａの前端縁には上側の前面板３ａ後面の下縁付近が着脱自在に当止され、同上側分割片４ａは上側の引出体２ａのストッパーとして機能する。
【００１２】
前記上側の引出体２ａでは前面板３ａ裏側の中程高さ位置に引出箱本体９が固着一体化されているが、下側の引出体２ｂでは前面板３ｂ裏側の下方高さ位置に引出箱本体９が固着一体化されていて、同前面板３ｂ裏側の上方高さ位置に横桟材４の分割された下側分割片４ｂが前方へ回動傾倒自在となるように枢着されている。この場合、下側分割片４ｂは断面略Ｌ字型であり、この断面略Ｌ字型の横辺部４b1の前端が枢支軸部４b3を介して前面板３ｂの裏面に枢着され、この枢支軸部４b3を中心に同断面略Ｌ字型の縦辺部４b2は大きく回動して前方へと傾倒される。なお、断面略Ｌ字型の下側分割片４ｂは、その縦辺部４b2が垂直になった状態と水平になった状態とで、各々停止保持されるものである。
【００１３】
下側の引出体２ｂにおいてはその納め状態で、上下の前面板３ａ、３ｂ間の間隔スペースＳ１から横桟材４のコ字内スペースＳ２に挿入された手先が、その前面板３ｂの上縁に引っ掛けられて、キャビネット本体１の前方開口から同引出体２ｂは引き出される。そして、前記下側分割片４ｂが前方へとその縦辺部４b2が水平となるように傾倒され、この状態で引出体２ｂの引出箱本体９から収容物の出し入れを容易に行うことができる。その際、前面板３ｂの裏側には、下側分割片４ｂの横辺部４b1の厚みに略相当する小さなデッドスペースβが発生するだけである。
【００１４】
又、下側の引出体２ｂの納め状態で、前記下側分割片４ｂはその縦辺部４b2が後方へ立ち上がるように回動されて垂直な状態とされ、その前面板３ｂ後面の下縁付近がキャビネット本体１の底板部６の前端縁に着脱自在に当止される。なお、ここで、ガイドレール１０にストッパー機能を付与してもよい。そして、この場合、上側分割片４ａと下側分割片４ｂとが相互に当接はしないが前方へ開口した断面略コ字型の横桟材４を構成して、キャビネット本体１の前方開口部分は閉塞され、埃やごみ等の異物の侵入が防止される。その際、前記キャビネット本体１の前方開口部分に架設固定された上側分割片４ａの後方が小さな（上下に薄い）デッドスペースαとなるだけであり、下側分割片４ｂの後方では引出箱本体９の内部上方に物品を収容することが可能でデッドスペースとならず、同キャビネット本体１内のスペースが有効に活用される。
【００１５】
したがって、この実施形態の収納キャビネットにおいては、横桟材４の前方へ開口したコ字内スペースＳ２に手先を差し入れて上下の前面板３ａ、３ｂの縁部分に引っ掛け、上下いずれの引出体２ａ、２ｂをも容易に出し入れ動作させることができて、同前面板３には把手を突設することなくすっきりした外観とすることができる。しかも、上側の前面板３ａの下縁に対応する高さ位置にて横桟材４が上下に分割形成され、この横桟材４の分割された下側分割片４ｂは下側の前面板３ｂの裏側に一体化されるため、下側の前面板３ｂより上方へ突出することになる下側分割片４ｂが下側の引出体２ｂと共に出し入れされて、同下側分割片４ｂの後方はデッドスペースとならず、キャビネット本体１内のスペースを有効に活用することができる。
【００１６】
又、この実施形態の収納キャビネットにおいては、横桟材４の分割された上側分割片４ａをキャビネット本体１内に架設固定して、同上側分割片４ａに上側の前面板３ａの下縁付近が着脱自在に当止されるようになっているため、この上側分割片４ａを上側の引出体２ａのストッパーとして機能させることができ、この場合、同上側分割片４ａの後方には小さなデッドスペースαが発生するだけである。
【００１７】
更に、この実施形態の収納キャビネットにおいては、横桟材４の分割された下側分割片４ｂが断面略Ｌ字型で、この断面略Ｌ字型の横辺部４b1の前端を下側の前面板３ｂの裏側に枢着して、同下側分割片４ｂを前方へと回動傾倒自在となるように一体化しているため、同下側分割片４ｂを前方へと傾倒された状態にして、下側の引出体２ｂから収容物の出し入れを容易に行うことができ、しかも、この状態では、同前面板３ｂの裏側に小さなデッドスペースβが発生するだけとなる。
【００１８】
図２は、本願の請求項１、２にのみ対応した別の実施形態である収納キャビネットを示している。この実施形態の収納キャビネットでは、横桟材４の分割された下側分割片４ｂが断面略Ｌ字型ではあるが、この断面略Ｌ字型の横辺部４b1の前端は下側の前面板３ｂの裏側に固定されていて枢着されておらず、同下側分割片４ｂが前方へと回動傾倒自在にはなっていない。この場合、前記実施形態のものに比して、前面板３ｂの裏側のデッドスペースβが若干大きくなる。なお、それ以外は、前記実施形態と同様に構成されており、前記実施形態と同様の作用効果が奏される。
【００１９】
図３は、本願の請求項１にのみ対応した更に別の実施形態である収納キャビネットを示している。この実施形態の収納キャビネットでは、横桟材４の分割された上側分割片４ａがキャビネット本体１内に架設固定されておらず、上側の前面板３ａの裏側下縁付近に固着一体化されている。この場合、上側分割片４ａは上側の引出体２ａのストッパーとして機能せず、上側の引出体２ａの納め状態で、その前面板３ａ後面の上縁付近がキャビネット本体１の天板部５の前端縁に着脱自在に当止される。ここで、ガイドレール１０にストッパー機能を付与してもよい。なお、それ以外は、前記実施形態と同様に構成されており、前記実施形態と同様の作用効果が奏される。
【図面の簡単な説明】
【００２０】
【図１】本願発明の一実施形態である収納キャビネットを示す縦断面図。
【図２】本願発明の別の実施形態である収納キャビネットを示す縦断面図。
【図３】本願発明の更に別の実施形態である収納キャビネットを示す縦断面図。
【図４】従来例である収納キャビネットを示す縦断面図。
【図５】別の従来例である家具用引出し部の構造を示す（ａ）は縦断面図、（ｂ）は要部拡大断面図。
【符号の説明】
【００２１】
１  キャビネット本体
２  引出体
２ａ  上側の引出体
２ｂ  下側の引出体
３  前面板
３ａ  上側の前面板
３ｂ  下側の前面板
４  横桟材
４ａ  上側分割片
４ｂ  下側分割片
４b1  横辺部
Ｓ１  間隔スペース
Ｓ２  コ字内スペース
α  デッドスペース
β  デッドスペース
【図１】
2006296536.tif 000003
【図２】
2006296536.tif 000004
【図３】
2006296536.tif 000005
【図４】
2006296536.tif 000006
【図５】
2006296536.tif 000007